(57)【特許請求の範囲】
【請求項１】
外方に向かって先端側が広がるように傾斜した対向する一対の傾斜壁を備えた凹部を有するパネルと、前記凹部内に配置されたツマミ部とを備え、前記ツマミ部が成形加工によって形成された上面壁と側壁と該上面壁と対向する側の開口部とから成る筺体から成り、該ツマミ部の成形時の金型のパーティングラインを対向する一対の側壁の前記上面壁近傍に形成し、該パーティングラインを挟んで前記一対の側壁がそれぞれ前記筺体の前記開口部方に向かって先端側が狭まるように傾斜させ、該一対の側壁と前記一対の傾斜壁とがそれぞれ沿うように前記ツマミ部を前記凹部に収納したことを特徴とするスイッチ装置。
【請求項２】
前記ツマミ部の前記一対の側壁は、前記上面壁側から前記開口部に向かって前記一対の側壁の厚さ寸法が薄くなるように傾斜して形成され、傾斜する縁部を周囲に残して該縁部に囲まれた部分に厚さ寸法がほぼ均一となる凹部が設けられていることを特徴とする請求項１記載のスイッチ装置。
【請求項３】
前記ツマミ部は、前記一対の側壁にそれぞれ設けた支軸部を揺動中心として、揺動可能に配置されていることを特徴とする請求項１、又は２記載のスイッチ装置。
【発明の詳細な説明】
【０００１】
【発明の属する技術分野】
本発明は、スイッチ装置に関し、特に、車載用のパワーウインド装置のウインドの開閉操作に用いて好適なスイッチ装置に関する。
【０００２】
【従来の技術】
従来のスイッチ装置について図面を用いて説明する。
図９は、従来のスイッチ装置を示す分解斜視図、図１０は、従来のスイッチ装置のノブを示す斜視図、図１１は、図１０の１１ー１１線での断面図、図１２は、従来のスイッチ装置のパネルとノブとハウジングとを示す断面図である。
【０００３】
図９〜図１２に示すように、従来のスイッチ装置は、パネル１と、パネル１に収納される複数個（例えば、２個）のノブ２０と、パネル１が係合されるハウジング３と、ハウジング３に収納され、ノブ２０が取り付けられるスイッチ部４と、スイッチ部４が接続されるプリント配線基板５と、プリント配線基板５を収納するカバー６とによって概略構成されている。
【０００４】
パネル１は、合成樹脂材料からなり、成形加工によって形成され、略平面状のパネル部１ａと、パネル部１ａの裏面からパネル部１ａと直交し、パネル部１ａの周囲をほぼ囲む側壁１ｂと、パネル部１ａの略中央部に設けられ、有底状の複数個（例えば、２個）の凹部１ｃとを有している。また、凹部１ｃは、対向する一対の傾斜壁１ｄと、一対の傾斜壁１ｄの間に設けられた曲面壁１ｅと、略矩形の孔１ｆとを有している。前記曲面壁１ｅによって、凹部１ｃの底部が構成され、この底部の一部に前記孔１ｆが設けられている。
【０００５】
また、一対の傾斜壁１ｄは、パネル部１ａから離れるにつれて狭まるように傾斜している。また、この凹部１ｃは、パネル１のパネル部１ａの面側が開放されている。
【０００６】
ノブ２０は、合成樹脂材料からなり、成形加工によって形成され、略箱形であって、曲面状の上面壁２０ａと、上面壁２０ａに略直交する一対の第１側壁２０ｂと、一対の第１側壁２０ｂの間に設けられ、第１側壁２０ｂと略直交する第２側壁２０ｃと、上面壁２０ａと対向する側の開口部２０ｄとを備えている。また、上面壁２０ａの周囲は、いわゆる面取り加工が施され、曲面状に形成されている。そして、上面壁２０ａの長手方向の一方の端部は、外方に突出し、操作部２０ｇとして形成され、また、他方の端部は、開口部２０ｄまで延設されている。
【０００７】
また、一対の第１側壁２０ｂの一方の面（外側面）は、上面壁２０ａ側から開口部２０ｄに向かって、間隔が広くなるように傾斜しており、他方の面（内側面）は、上面壁２０ａに略直交して設けられている。即ち、第１側壁２０ｂは、後述する製造上の理由から上面壁２０ａ側から開口部２０ｄに向かって、第１側壁２０ｂの厚さ寸法が厚くなるように形成されている。また、第１側壁２０ｂには、円形の孔２０ｆが形成されている。
【０００８】
換言すれば、このノブ２０は、一対の第１側壁２０ｂの間にて形成される幅寸法が、ほぼ上面壁２０ａ（いわゆる、ノブ２０の頂部）から開口部２０ｄに向かって漸次広くなるように形成されている。また、このノブ２０は、いわゆるツマミ部を構成している。
【０００９】
ハウジング３は、合成樹脂材料からなり、成形加工によって形成され、略矩形の上壁３ａと、上壁３ａから外方に延設され、周囲を囲む側壁３ｂと、上壁３ａの略中央部に設けられた複数個（例えば、２個）の取付部３ｃとを有している。また、側壁３ｂには、複数個（例えば、６個）の矩形状の凸部３ｅと、矩形状の孔３ｆとが設けられている。
【００１０】
また、取付部３ｃは、矩形の孔３ｄと、孔３ｄの周囲に設けられた壁部３ｇと、対向する壁部３ｇに対向して設けられた円柱状の一対の凸部３ｈとを有している。このハウジング３は、パネル１の開放された面側からパネル１内に収納され、例えば、スナップインなどの適宜手段にて配置されている。このとき、ハウジング３の取付部３ｃは、パネル１の凹部１ｃ内に収納・配置されている。
【００１１】
そして、また、ノブ２０を前記凹部１ｃ内に挿入し、取付部３ｃの一対の凸部３ｈに、ノブ２０の第１側壁２０ｂの円形の孔２０ｆが挿通され、これによって、ハウジング３に対してノブ２０が揺動できるように配置されている。
この状態のとき、パネル１の凹部１ｃの一対の傾斜壁１ｄと、ノブ２０の一対の第１側壁２０ｂとは、傾斜の向きが異なるように対向して組み立てられる。従って、傾斜壁１ｄと第１側壁２０ｂとのパネル部１ａ側の隙間寸法ｌ２（図１２参照）は、比較的大きな寸法値に設けられ、また、凹部１ｃの底部側の隙間寸法ｌ３は、比較的小さな寸法値（ｌ２＞ｌ３）に設けられている。
【００１２】
即ち、傾斜壁１ｄと第１側壁２０ｂとの間の隙間寸法は、凹部１ｃの底部側からパネル部１ａ側に向かって漸次広くなるように設けられる。
【００１３】
次に、従来のスイッチ装置のノブを製造するための成形金型について説明する。  図１３は、スイッチ装置のノブを製造するための成形金型を示す断面図である。図１３に示すように、この成形金型は、固定側の金型から成る第１金型４１と、第１金型４１に挿入され、可動側の金型から成る第２金型４２と、第１金型４１に取り付けられ、且つ、第２金型４２を挟み込むように摺動されるスライドコアから成る第３金型４３とによって概略構成されている。
【００１４】
第１金型４１は、断面が略コ字状で、角部が面取り加工された凹部４１ａを有している。この凹部４１ａは、凹部４１ａの対向する側面が、開放端側に向かって僅かに開かれるように傾斜している。この凹部４１ａの対向する傾斜した側面は、この成形金型によって成形加工されるノブを成形金型から離型する際に、確実・容易に離型させるために設けられている。
【００１５】
第２金型４２は、断面が逆さまな略Ｔ形状であって、基部４２ａと、基部４２ａの一方の面（上面）の略中央部から外方（上方）に突出する凸部４２ｂとを有している。この凸部４２ｂの先端部が、第１金型４１の凹部４１ａ内に対向配置され、この凸部４２ｂは、凹部４１ａ内を出入りするように構成されている。そして、第１金型４１の端面と第２金型４２の基部４２ａとは当接された状態のとき、凹部４１ａと凸部４２ｂとの間に略コ字状の空間が形成されている。
【００１６】
第３金型４３は、断面が略Ｔ字状であって、スライドする一対の基部４３ａと、基部４３ａの一方の側面から外方に突出する円柱状の凸部４３ｂとを有している。この凸部４３ｂの先端部は、第２金型４２の凸部４２ｂの側面に当接しており、この凸部４３ｂは、前記第１側壁２０ｂの円形の孔２０ｆを形成するためのものである。
【００１７】
即ち、この第３金型４３は、前記第２金型４２を挟み込むようにスライドして、円柱状の凸部４３ｂが第２金型４２に当接する状態までスライドする。
上述の如き構成の成形金型によって成形加工された前記ノブ２０のパーティングライン（ＰＬ）は、前記第１側壁２０ｂの開口部２０ｄの近傍に設けられる。
【００１８】
また、次に図示していないが、前記スイッチ装置のパネル１を成形加工するための成形金型について説明すると、前記パネル１の凹部１ｃを構成する一対の傾斜壁１ｄは、傾斜面を有する成形金型により成形されるが、この金型の傾斜面は、成形加工されたパネル１を成形金型から離型する際に、確実・容易に離型させるために必要とされる。
【００１９】
【発明が解決しようとする課題】
しかしながら、従来のスイッチ装置では、パネル１の凹部１ｃの一対の傾斜壁１ｄと、ノブ２０の一対の第１側壁２０ｂとは、対向するように配置されているが、それぞれの傾斜角度が、組み立てられた際にそれぞれに異なる向きとなり、その間の隙間寸法が比較的広い寸法となる。
このことから、パネル１のパネル部１ａ側でのノブ２０の上面壁２０ａとの間の隙間寸法ｌ２は、大きな寸法となり、よって、この隙間に例えば、ゴミなどの異物が挟まると、ノブ２０の操作性が悪化するという問題がある。
【００２０】
また、隙間寸法が比較的広い寸法であると、この隙間が美観上からも好ましくないものとなるという問題がある。
【００２１】
本発明は、以上の問題を解決するためのもので、その目的は、スイッチ装置のパネルとノブとの間の隙間寸法を小さくして、ノブの操作性が長期間安定して保持されると共に、美観上からも良好な美観を得られるスイッチ装置を提供することである。
【００２２】
【課題を解決するための手段】
本発明のスイッチ装置は、外方に向かって先端側が広がるように傾斜した対向する一対の傾斜壁を備えた凹部を有するパネルと、凹部内に配置されたスイッチ部のツマミ部とを備え、ツマミ部が成形加工によって形成された上面壁と側壁と上面壁と対向する側の開口部とから成る筺体から成り、ツマミ部の成形時の金型のパーティングラインを対向する一対の側壁の上面壁近傍に形成し、パーティングラインを挟んで一対の側壁がそれぞれ筺体の開口部方に向かって先端側が狭まるように傾斜させ、該一対の側壁と一対の傾斜壁とがそれぞれ沿うようにツマミ部を凹部に収納したことである。
【００２３】
また、本発明のスイッチ装置は、ツマミ部の一対の側壁は、上面壁側から開口部に向かって一対の側壁の厚さ寸法が薄くなるように傾斜して形成され、傾斜する縁部を周囲に残して該縁部に囲まれた部分に厚さ寸法がほぼ均一となる凹部が設けられていることである。
また、本発明のスイッチ装置は、ツマミ部は、一対の側壁にそれぞれ設けた支軸部を揺動中心として、揺動可能に配置されていることである。
【００２４】
【発明の実施の形態】
本発明のスイッチ装置の実施の形態について図面を用いて説明する。
図１は、本発明のスイッチ装置の実施の形態を示す分解斜視図、図２は、本発明のスイッチ装置のパネルを示す断面図、図３は、図２の３−３線での断面図、図４は、本発明のスイッチ装置のノブを示す斜視図、図５は、図４の５−５線での断面図、図６は、本発明のスイッチ装置のパネルとノブとハウジングとを示す断面図である。
なお、従来のスイッチ装置と同一構成には、同一符号を付与してある。
【００２５】
図１〜図６に示すように、本発明のスイッチ装置は、パネル１と、パネル１に収納される複数個（例えば、２個）のノブ２と、パネル１が係合されるハウジング３と、ハウジング３に収納され、ノブ２が取り付けられるスイッチ部４と、スイッチ部４が接続されるプリント配線基板５と、プリント配線基板５を収納し、ハウジング３に係合するカバー６とによって概略構成されている。
【００２６】
パネル１は、合成樹脂材料からなり、成形加工によって形成され、略平面状のパネル部１ａと、パネル部１ａの裏面からパネル部１ａと直交し、パネル部１ａの周囲をほぼ囲む側壁１ｂと、パネル部１ａの略中央部に設けられ、有底状の複数個（例えば、２個）の凹部１ｃとを有している。また、凹部１ｃは、対向する一対の傾斜壁１ｄと、一対の傾斜壁１ｄの間に設けられた曲面壁１ｅと、略矩形の孔１ｆとを有している。前記曲面壁１ｅによって、凹部１ｃの底部が構成され、この底部の一部に前記孔１ｆが設けられている。
【００２７】
また、一対の傾斜壁１ｄは、パネル部１ａから離れるにつれてその間が狭まるように傾斜している。換言すれば、この一対の傾斜壁１ｄは、凹部１ｃの外方に向かって先端側が広がるように傾斜している。また、この凹部１ｃは、パネル１のパネル部１ａの面側が開放されている。
【００２８】
ノブ２は、合成樹脂材料からなり、成形加工によって形成され、略箱形であって、曲面状の上面壁２ａと、上面壁２ａに略直交する一対の第１側壁２ｂと、一対の第１側壁２ｂの間に設けられ、第１側壁２ｂと略直交する第２側壁２ｃと、上面壁２ａと対向する側の開口部２ｄとを備え、いわゆる筺体を構成している。また、上面壁２ａの周囲は、いわゆる面取り加工が施され、曲面状に形成されている。そして、上面壁２ａの長手方向の一方の端部は、外方に突出し、操作部２ｇとして形成され、また、他方の端部は、開口部２ｄまで延設されている。
【００２９】
また、一対の第１側壁２ｂの一方の面（外側面）は、上面壁２ａ側から開口部２ｄに向かって、間隔が狭くなるように傾斜し、また、この一方の面には、傾斜する縁部２ｈを周囲に残して凹部２ｅが設けられ、また、他方の面（内側面）は、上面壁２ａに略直交して設けられている。即ち、第１側壁２ｂは、上面壁２ａ側から開口部２ｄに向かって、第１側壁２ｂの厚さ寸法が薄くなるように形成されている。また、第１側壁２ｂには、円形の孔２ｆが形成されている。そして、前記凹部２ｅによって、この凹部２ｅ部分の第１側壁２ｂは、厚さ寸法がほぼ均一な寸法となっている。また、この縁部２ｈに囲まれた凹部２ｅは、寸法精度の向上と、いわゆる軽量化のための肉抜き部分を構成している。
【００３０】
換言すれば、このノブ２は、一対の第１側壁２ｂの縁部２ｈによって形成される幅寸法が、上面壁２ａ（いわゆる、ノブ２の頂部）部分を除いて、開口部２ｄに向かって漸次狭くなるように形成されている。そして、このノブ２は、いわゆるツマミ部を構成している。
【００３１】
ハウジング３は、合成樹脂材料からなり、成形加工によって形成され、略矩形の上壁３ａと、上壁３ａから外方に延設され、周囲を囲む側壁３ｂと、上壁３ａの略中央部に設けられた複数個（例えば、２個）の取付部３ｃとを有している。
また、側壁３ｂには、複数個（例えば、６個）の矩形状の凸部３ｅと、矩形状の孔３ｆとが設けられている。
【００３２】
また、取付部３ｃは、矩形の孔３ｄと、孔３ｄの周囲に設けられた壁部３ｇと、対向する壁部３ｇに対向して設けられた円柱状の一対の凸部３ｈとを有している。このハウジング３は、パネル１の開放された面側からパネル１内に収納され、ハウジング３の凸部３ｅが、パネル１の側壁１ｂに設けた孔１ｇに、スナップインされてハウジング３とパネル１とが一体に配置される。このとき、ハウジング３の取付部３ｃは、パネル１の凹部１ｃ内に収納・配置されている。
【００３３】
そして、また、ノブ２０を前記凹部１ｃ内に挿入し、取付部３ｃの一対の凸部３ｈに、ノブ２の第１側壁２ｂの円形の孔２ｆが挿通されており、これによって、ハウジング３に対してノブ２が揺動できるように配置されている。
この状態のとき、パネル１の凹部１ｃの一対の傾斜壁１ｄと、ノブ２の一対の第１側壁２ｂとは、傾斜の向きが同じ向きであるように対向して組み立てられる。従って、傾斜壁１ｄと第１側壁２ｂとの隙間寸法ｌ１は、従来と比較して小さい寸法値で、且つ、全面に渡ってほぼ均一（同一）な寸法値に形成される。換言すれば、第１側壁２ｂと傾斜壁１ｄとが沿うようにノブ２（ツマミ部）を凹部１ｃに収納している。
【００３４】
スイッチ部４は、例えば、ガラス入りエポキシ樹脂などの絶縁性合成樹脂材料から成り、成形加工にて略箱形に形成されたケース４ａと、ケース４ａに収納された固定接点（図示せず）、及び可動接点（図示せず）と、ケース４ａの上面側に軸支され、揺動する操作部材４ｂと、前記固定接点（図示せず）に接続され、Ｌ字状の複数本（例えば、６本）のスイッチ端子４ｃとを備えている。また、操作部材４ｂには、ノブ２が適宜手段にて係止され、このノブ２の揺動によって、操作部材４ｂが揺動されて、可動接点が固定接点に接離し、この接離にてスイッチ部４がオン・オフするように構成されている。
【００３５】
そして、このスイッチ部４のオン・オフによって、例えば、車載用のパワーウインド装置のウインドの開閉操作が行われる。
【００３６】
プリント配線基板５は、例えば、ガラス入りエポキシ樹脂などの絶縁性合成樹脂材料から成り、平板状に形成され、少なくとも一方の面側（例えば、裏面側）に所定の形状を有する配線パターン（図示せず）が設けられている。また、プリント配線基板５は、複数個（例えば、６×２＝１２個）のスイッチ端子孔５ａを有し、このスイッチ端子孔５ａには、スイッチ部４のスイッチ端子４ｃが挿通され、スイッチ端子４ｃの先端部は、配線パターン（図示せず）に半田付けされている。
【００３７】
このスイッチ部４が接続されたプリント配線基板５は、前記ハウジング３内に適宜手段にて、収納・配置されている。この状態のとき、ノブ２は、パネル１の凹部１ｃ内に収納・配置されている。
【００３８】
カバー６は、合成樹脂材料から成り、成形加工によって、略箱形に形成され、底壁６ａと、底壁６ａの周囲に立設された側壁６ｂと複数個の凸部６ｃとを有している。このカバー６には、プリント配線基板５が収納されると共に、カバー６の凸部６ｃが、ハウジング３の孔３ｆに、スナップインされて、ハウジング３にカバー６が係合される。
【００３９】
次に、本発明のスイッチ装置のパネルとノブとを製造するための成形金型について説明する。
先ず、スイッチ装置のパネルを製造するための成形金型について説明する。
図７は、スイッチ装置のパネルを製造するための成形金型を示す断面図である。図７に示すように、この成形金型は、固定側の金型から成る第１金型３０と、第１金型３０に挿入され、可動側の金型から成る第２金型３１とによって概略構成されている。
【００４０】
第１金型３０は、断面が略Ｕ字状であって、前記パネル１の一対の傾斜壁１ｄを形成するための傾斜面を有する凹部３０ａと、前記側壁１ｂを形成するための溝部３０ｂとを有している。
【００４１】
第２金型３１は、断面が略Ｔ字状であって、前記パネル１のパネル部１ａを形成するための基部３１ａと、基部３１ａの一方の面（下面）から外方に突出し、前記パネル１の凹部１ｃを形成するための凸部３１ｂとを有している。そして、この第１金型３０の上面と、第２金型３１の下面とが当接されると共に、第１金型３０の凹部３０ａ内に第２金型３１の凸部３１ｂが挿通されて配置されている。
【００４２】
そして、この状態のとき、第１金型３０と、第２金型３１との間に前記パネル１の形状となる空間部３２が形成され、この空間部３２に加熱され、流体状になった合成樹脂材料を加圧しながら注入して、前記パネル１が成形加工される。
また、第１金型３０の凹部３０ａが傾斜面を備えているのは、成形加工されたパネル３を成形金型から離型する際に、確実・容易に離型させるために設けられている。
【００４３】
次に、スイッチ装置のノブを製造するための成形金型について説明する。
図８は、スイッチ装置のノブを製造するための成形金型を示す断面図である。図８に示すように、この成形金型は、固定側の金型から成る第３金型３３と、第３金型３３に挿入され、可動側の金型から成る第４金型３４と、スライドコアから成る第５金型３５とによって概略構成されている。
【００４４】
第３金型３３は、断面が略Ｕ字状であって、角部が面取り加工された凹部３３ａを有し、この凹部３３ａは、前記ノブ２の上面壁２ａを形成するためのものであり、この凹部３３ａは、凹部３３ａの開放端部側に向けて開いた傾斜面を有している。
第４金型３４は、断面が略矩形状であって、略箱形のノブ２の空間部と開口部２ｄとを形成するためのものである。
【００４５】
第５金型３５は、断面が略矩形状であって、一方の側面（内側面）に凹部３５ａが設けられ、この凹部３５ａの略中央部に円柱状の凸部３５ｂが設けられている。この第５金型３５は、左右対称に一対配置されている。そして、この第５金型３５は、第４金型３４を挟み込むようにそれぞれスライドして、円柱状の凸部３５ｂが第４金型３４に当接する状態までスライドする。また、このとき第５金型３５の先端部（頂部）は、第３金型３３に当接されている。
【００４６】
そして、第３金型３３と第４金型３４とが上面壁２ａを形成する空間を介して対向され、また、第４金型３４を挟み込むように一対の第５金型３５が配置されている。このとき第４金型３４と第５金型３５との間に、一対の第１側壁２ｂを形成するための空間が形成されている。
【００４７】
この状態で、第３金型３３と第４金型３４と第５金型３５とによって前記ノブ２の形状となる空間部３６が形成され、この空間部３６に加熱され、流体状になった合成樹脂材料を加圧しながら注入して、前記ノブ２が成形加工される。このとき、第３金型３３と第５金型３５とが当接された部分に、いわゆるパーティングライン（ＰＬ）が形成されることになる。即ち、パーティングライン（ＰＬ）は、上面壁２ａの近傍に設けられている。
【００４８】
また、第３金型３３の凹部３３ａが、凹部３３ａの開放端部側に向けて開いた傾斜面を有しているのは、成形加工されたノブ２を成形金型から離型する際に、確実・容易に離型させるために設けられている。
【００４９】
【発明の効果】
以上のように、本発明のスイッチ装置は、ツマミ部の側壁とパネルの傾斜壁との間が沿うようにツマミ部をパネルの凹部に収納したことによって、側壁と傾斜壁との間の凹部の開口側での隙間寸法が狭く形成されることから、よって、この隙間に例えば、ゴミなどの異物が挟まることはなく、ツマミ部（ノブ）の操作性を長期間安定して保つことが出来る。
また、隙間寸法が比較的挟まい寸法であることから、この狭い隙間が美観上からも好ましいスイッチ装置を提供することが出来る。
【００５０】
また、本発明のスイッチ装置は、ツマミ部（ノブ）の側壁に、縁部に囲まれた凹部が設けられていることから、この凹部の体積分だけ軽量化されるので、このスイッチ装置を軽量化することが出来、更に、その分だけ材料費が削減でき、よって、安価なスイッチ装置を提供することができる。
また、前記と同様に、ツマミ部の側壁の縁部とパネルの傾斜壁とが傾斜して沿い、隙間寸法が比較的挟まい寸法であることから、この狭い隙間が美観上からも好ましいスイッチ装置を提供することが出来る。
【図面の簡単な説明】
【図１】本発明のスイッチ装置の実施の形態を示す分解斜視図である。
【図２】本発明のスイッチ装置のパネルの実施の形態を示す断面図である。
【図３】図２の３−３線での断面図である。
【図４】本発明のスイッチ装置のノブの実施の形態を示す斜視図である。
【図５】図４の５−５線での断面図である。
【図６】本発明のスイッチ装置のパネルとノブとハウジングとの実施の形態を示す断面図である。
【図７】本発明のスイッチ装置のパネルを製造するための成形金型を示す断面図である。
【図８】本発明のスイッチ装置のノブを製造するための成形金型を示す断面図である。
【図９】従来のスイッチ装置を示す分解斜視図である。
【図１０】従来のスイッチ装置のノブを示す斜視図である。
【図１１】図１０の１１−１１線での断面図である。
【図１２】従来のスイッチ装置のパネルとノブとハウジングとを示す断面図である。
【図１３】従来のスイッチ装置のノブを製造するための成形金型を示す断面図である。
【符号の説明】
１    パネル
１ｃ  凹部
１ｄ  傾斜壁
１ｅ  曲面壁
２    ノブ（ツマミ部）
２ａ  上面壁
２ｂ  第１側壁（側壁）
２ｄ  開口部
２ｅ  凹部
２ｈ  縁部
３    ハウジング
３ａ  上壁
３ｄ  孔
３ｇ  壁部
４    スイッチ部
４ｂ  操作部材
５    プリント配線基板
６    カバー
【図１】
0003798182.tif 000002
【図２】
0003798182.tif 000003
【図３】
0003798182.tif 000004
【図４】
0003798182.tif 000005
【図５】
0003798182.tif 000006
【図６】
0003798182.tif 000007
【図７】
0003798182.tif 000008
【図８】
0003798182.tif 000009
【図９】
0003798182.tif 000010
【図１０】
0003798182.tif 000011
【図１１】
0003798182.tif 000012
【図１２】
0003798182.tif 000013
【図１３】
0003798182.tif 000014